(57)【要約】【課題】観賞魚育成用の水槽及び水生植物育成用貯水池において、有機物分解バクテリアの活性を実現し得るような流水濾材、及び当該流水濾材を敷設した前記水槽及び前記貯水池の構成を提供すること。【解決手段】焼結した土の粒子に有機物分解バクテリアを生息させていることに基づく流水濾材、及び当該流水濾材、特に魚を育成する水を浄化することを目的とする脱窒菌、硝化菌、及び水生植物を育成する水を浄化することを目的とする除草剤分解菌を敷設することによって、前記課題を解決することができる観賞魚育成用水槽、及び水生植物育成用貯水池。【選択図】図１
2009142211.tif 000002
【特許請求の範囲】
【請求項１】
焼結した土の粒子に有機物分解バクテリアを生息させていることに基づく流水濾材。
【請求項２】
焼結の対象となる土が火山灰土であることを特徴とする請求項１記載の流水濾材。
【請求項３】
焼結した土の粒子の空隙の平均径が、０．１〜２μｍの範囲内にあることを特徴とする請求項１、２の何れか１項に記載の流水濾材。
【請求項４】
有機物分解バクテリアが、脱窒菌、硝化菌の何れか又は双方であることを特徴とする請求項１、２、３の何れか１項に記載の流水濾材。
【請求項５】
脱窒菌が、ミクロコッカス  デニトリフィカンス（Micrococcus denitrificans）であり、亜硝酸菌がニトロソモナス（Nitrosomonas）、ニトロソコッカス（Nitrosococcus）の何れかであり、硝酸菌が、ニトロバクター（Nitrobacter）、ニトロコッカス（Nitrococcus）の何れかであり、脱窒菌及び硝酸菌の双方の性格を有している菌が、アミコラトプシスエチゴネンシス（Amycolatopsis echigonensis）、アミコラトプシスニイガテンシス（Amycolatopsis niigatensis）の何れかであることを特徴とする請求項４記載の流水濾材。
【請求項６】
有機物分解バクテリアが、除草剤分解菌であることを特徴とする請求項１、２、３の何れか１項に記載の流水濾材。
【請求項７】
除草剤分解バクテリアが、２−クロロ−４，６−ビス（エチルアミノ）−１，３，５−トリアジン（2−chloro−4，6−bis（ethylamino）−1，3，5−triazine）を分解し得るモラキセラオビス（Moraxella ovis）、ペニシリウム  ステッキ（Penicillium steckii）であることを特徴とする請求項６記載の流水濾材。
【請求項８】
請求項１、２、３、４、５の何れか１項に記載の流水濾材を底部に敷設した観賞魚育成用水槽。
【請求項９】
請求項１、２、３、６、７の何れか１項に記載の流水濾材を水の流入口に敷設した水生植物育成用貯水池。
【発明の詳細な説明】
【技術分野】
【０００１】
本発明は、水槽及び貯水池において水を浄化するために敷設する流水濾材に関するものである。
【背景技術】
【０００２】
観賞魚を保育する水槽においては、観賞の対象となる魚の排泄物が水槽内に貯留し、かつ水槽内の水を汚染することから、水を循環させながら水槽内に敷設した流水濾材によって、当該排泄物を吸収し、更には当該排泄物を吸収した流水濾材を所定の段階にて交換することを不可欠としている。
【０００３】
同様に、魚及び蛍の幼虫を育成するために水生植物を繁茂させている貯水池では、水を汚染する有機物を貯水池中に敷設した流水濾材によって吸収し、更には当該有機物を吸収した流水濾材を所定の段階にて交換することを不可欠としている。
【０００４】
一般に、生活排水又は産業排水において、ＢＯＤ（Biochemical Oxygen Demand：生物化学的酸素要求量）、ＣＯＤ（Chemical Oxygen Demand：化学的酸素要求量）などを基準として、これらの排水中に含まれる有機物を好気性菌、通性嫌気性菌などのバクテリアを活性状態としたうえで分解することは、既に周知の技術的事項である。
【０００５】
しかるに、前記水槽及び前記貯水池においては、そのようなバクテリアによる有機物の分解が行われた場合には、魚及び水生植物育成のためには極めて有用な筈であるにも拘らず、前記水槽及び前記貯水池において、流水濾材の浄化機能とバクテリアの分解機能とを結合させたうえで、前記分解機能を積極的に活用することは、これまで提唱されていなかった。
【０００６】
その原因としては、有機物分解用のバクテリアを前記水槽内又は前記貯水池内に配置すること自体、専門的な知識を必要とし、通常の一般人には特定のバクテリアを選択したうえで、濾材に組み合わせるという発想に到底想到し得なかったことに由来している。
【０００７】
因みに、特許文献１においては、床土濾材を敷設することによって、蛍を繁殖させることを目的とする蛍の幼虫育成システムの構成において、蛍及び川蜷が生存する容器内に好気性バクテリアの活性を行わせることを提唱しているが、あくまで貯留した水中におけるバクテリアの活性を前提としており、決して流水濾材の浄化機能とバクテリアの分解機能とを結合させることまで想到していた訳ではない。
【０００８】
同様に、特許文献２においても、石英粗面岩の破砕品を充填した高速散水濾床槽に排水を通過させて、好気性菌及び嫌気性菌などのバクテリアによってＢＯＤ成分及びノルヘキ成分を含む排水処理を行っているが、前記破砕品に浄化機能を発揮させ、かつバクテリアの分解機能とが結合されるような構成が採用されている訳ではない。
【０００９】
他方、非特許文献１においては、脱窒作用及び硝酸分解作用の双方を兼有している有用なバクテリアを紹介しており（尚、当該バクテリアについては実施例１において説明する。）、魚育成用水槽の浄化には極めて適切であるにも拘らず、流水濾材の浄化作用との結合については、何ら提唱されていない。
【００１０】
同様に、非特許文献２においても、除草剤を分解するバクテリアを紹介しており（尚、当該バクテリアについては実施例２において説明する。）、水生植物を育成する貯水池では、極めて有用であるにも拘らず、流水濾材の浄化機能との結合については、格別の着目が行われている訳ではない。
【特許文献１】特開２００６−２８０３４２号公報。
【特許文献２】特開２００１−２５７８２号公報。
【非特許文献１】International Journal of Systematic and Evolutionary Microbiology (2007), 57, 1747-1751
【非特許文献２】Journal of Molecular Catalysis B: Enzymatic 11(2001) 1073-1078
【発明の開示】
【発明が解決しようとする課題】
【００１１】
本発明は、観賞魚育成用の水槽及び水生植物育成用貯水池において、水の浄化の為に有機物分解バクテリアの活性を実現し得るような流水濾材、及び当該濾材を敷設した前記水槽及び前記貯水池の構成を提供することを課題としている。
【課題を解決するための手段】
【００１２】
前記課題を解決するため、本発明の基本構成は、焼結した土の粒子に有機物分解バクテリアを生息させていることに基づく流水濾材からなる。
【発明の効果】
【００１３】
前記基本構成に基づいて、本発明においては、観賞魚育成水槽、及び水生植物育成用貯水池において単に流水濾材を敷設することによって汚濁の原因となる有害な有機物を分解することが可能となり、特に前記水槽においては、観賞魚による排泄物におけるアンモニアなどの窒素性有機物を分解することによる水の浄化、更には、前記貯水池においては、水生植物の育成に有害となる除草剤の分解をも実現することが可能となり、極めて有用な作用を発揮することができる。
【発明を実施するための最良の形態】
【００１４】
水槽における流水濾材は、土を焼結することによって結合した粒状の表面に微細な孔が形成されており、当該孔によって流水中の不純物を吸着し、浄化作用を発揮している。
【００１５】
火山灰土は、水と混合した場合、適度の粘着性を有し、かつ焼結した段階において、適度な大きさの微細孔を形成し得ることから、前記土としては、火山灰土を採用する場合が多い。
【００１６】
前記基本構成においては、焼結した粒子に有機物を分解し得るバクテリアを生息させることを不可欠としているが、そのような生息状態を実現するためには、焼結粒子に対し、前記バクテリアを含有した水を噴霧状態にて散布し、当該水を焼結粒子中に含浸させると良い。
【００１７】
前記バクテリアを含有する水中に、焼結粒子を沈澱させる方法も採用され得るが、そのような方法の場合には、水に挿入する段階、更には水から取り出す段階において、焼結粒子の形状が崩壊しないように、焼結の程度を強固にする必要がある。
【００１８】
バクテリアを焼結粒子に生息状態とする前に、一度雑菌を殺菌するために、改めて加熱を行うこともあり得るが、当該加熱工程は、必ずしも必要不可欠という訳ではない。
【００１９】
有機物の分解機能を有しているバクテリアの大きさは、約０．４〜２μｍの範囲であることが多い。
【００２０】
このような点を考慮し、本発明における焼結粒子によって形成された微細孔の平均径が、約０．１〜２μｍの範囲内にあるような選択を行うことによって、バクテリアの好適な生息環境を確保することができる（尚、出願人においては、前記のような大きさの範囲内にある平均径を相対的に多量に形成し得る火山灰土を選択し、かつ焼結を行っている。）。
【００２１】
前記基本構成に基づく流水濾材１は、図１に示すように、水が循環する魚育成用水槽２１の底部などに敷設され、図２に示すように、水生植物５を育成する貯水池の入口３２などに敷設されることになる（尚、敷設する位置は、前記底部及び入口３２に限定される訳ではない。）。
【００２２】
水槽２１において観賞魚４を飼育した場合には、当該魚４は、必然的にアンモニア成分及び窒素含有成分を排泄することになる。
【００２３】
このため、観賞魚育成用水槽２１において流水濾材１を敷設する場合には、バクテリアが脱窒作用又は硝酸成分分解作用の何れか又は双方を発揮し得ること、即ちバクテリアが脱窒菌、硝化菌の何れか又は双方であることを特徴とする実施形態が好適に採用される。
【００２４】
特定の魚又は蛍育成用貯水池においては、所定の水生植物５の繁茂を不可欠とする。
【００２５】
しかるに、近年、貯水池に除草剤を含有した水が流入する場合があり、その場合には、水生植物５の育成が妨げられることを避けることができない。
【００２６】
このような場合、有機物分解バクテリアとして、除草剤分解菌を選択し、前記貯水池に敷設する実施形態が好適に採用されている。
【００２７】
以下、実施例に即して説明する。
【実施例１】
【００２８】
実施例１は、脱窒菌がミクロコッカス  デニトリフィカンス（Micrococcus denitrificans）であり、亜硝酸菌がニトロソモナス（Nitrosomonas）、ニトロソコッカス（Nitrosococcus）の何れかであり、硝酸菌がニトロバクター（Nitrobacter）、ニトロコッカス（Nitrococcus）の何れかであり、脱窒菌及び硝酸菌の双方の性格を有している菌が、アミコラトプシスエチゴネンシス（Amycolatopsis echigonensis）、アミコラトプシスニイガテンシス（Amycolatopsis niigatensis）の何れかであることを特徴としている。
【００２９】
このような脱窒菌又は硝化菌の何れか又は双方の性格を有している菌を採用することによって、水槽２１内において観賞魚4が排泄したアンモニア成分及び窒素成分を分解することが可能となり、水槽２１内の好適な浄化に資することができる。
【００３０】
特に、非特許文献１において紹介されているアミコラトプシスエチゴネンシス（Amycolatopsis echigonensis）、アミコラトプシスニイガテンシス（Amycolatopsis niigatensis）は、特許出願人が共同研究に関与することによって存在が確認されたバクテリアであり、しかも脱窒化機能と硝化機能を兼有している点において、優れた浄化作用を発揮することが可能である。
【実施例２】
【００３１】
実施例２は、除草剤分解バクテリアが、２−クロロ−４，６−ビス（エチルアミノ）−１，３，５−トリアジン（2−chloro−4，6−bis（ethylamino）−1，3，5−triazine）を分解し得るモラキセラオビス（Moraxella ovis）、ペニシリウムステッキ（Penicillium steckii）であることを特徴としている。
【００３２】
２−クロロ−４，６−ビス（エチルアミノ）−１，３，５−トリアジンは、商品名として、「シマジン」（Simazine）と呼ばれているが、双葉の草植物の発芽を減殺させる機能を有していることから、広範囲の除草剤として使用されているが、水生植物育成用の貯水池３１中に外部から流入した場合には、水生植物５の成長に多大な被害をもたらせることにならざるを得ない。
【００３３】
このような場合、非特許文献２に紹介されているように、モラキセラオビス（Moraxella ovis）及びペニシリウム  ステッキ（Penicillium steckii）は、前記２−クロロ−４，６−ビス（エチルアミノ）−１，３，５−トリアジンを分解することによって、貯水池３１中における水生植物５の育成のための弊害を十分防止することが可能である。
【産業上の利用可能性】
【００３４】
本発明は、観賞魚育成用の水槽及び水生植物育成用の貯水池のように、水の浄化を必要とする産業分野において広範に利用することが可能である。
【図面の簡単な説明】
【００３５】
【図１】観賞魚育成用の水槽中に濾材を敷設した状態を示す側断面図である。
【図２】水生植物育成用の貯水池中に濾材を敷設した状態を示す側断面図である。
【符号の説明】
【００３６】
１  流水濾材
２１  水槽
２２  循環パイプ
２３  循環ポンプ
３１  貯水池
３２  貯水池の入口部分
４  観賞魚
５  水生植物
【図１】
2009142211.tif 000003
【図２】
2009142211.tif 000004